(57)【要約】      （修正有）【課題】一体型ハウジングにより、従来の嵌合式ハウジングを溶接方法で溶接したことによる位置ずれ、非密着、隙間発生、結合強度が低いという問題を改善する光アダプタを提供する。【解決手段】光アダプタは、ハウジング１と、基台組立体２と、を含み、ハウジングは収容部１０を含み、ハウジングの両端に収容部に連通する挿入口１１を形成する。基台組立体は、ハウジングの収容部内に設けられ、第１突き合わせ部材２１と、第１突き合わせ部材に結合される第２突き合わせ部材２２と、複数のスリーブ２３と、を含む。複数のスリーブは、第１突き合わせ部材の各第１フェルール２１３及び第２突き合わせ部材の各第２フェルール２２３内にそれぞれ設けられる。【選択図】図２
0003227756.tif 000002
【実用新案登録請求の範囲】
【請求項１】
収容部を含み、両端が前記収容部に連通する挿入口を形成するハウジングと、
第１本体と、前記第１本体の一側に突出する第１仕切板と、前記第１仕切板の両側に位置する複数の第１フェルールと、を含み、前記第１本体の一側には各前記第１フェルール内に連通する複数の第１挿通孔が形成され、前記第１仕切板が前記ハウジング一端の前記収容部内に位置する第１突き合わせ部材と、第１本体の他側に結合する第２本体と、前記第２本体の一側に突出する第２仕切板と、前記第２仕切板の両側に位置する複数の第２フェルールとを含み、前記第２本体の一側には各前記第２フェルール内に連通する複数の第２挿通孔が形成され、前記第２仕切板が前記ハウジングの他端の前記収容部内に位置する第２突き合わせ部材と、両側は各前記第１挿通孔及び各前記第２挿通孔にそれぞれ挿入されて各前記第１フェルール及び各前記第２フェルール内に設けられる複数のスリーブと、を含み、前記ハウジングの前記収容部内に設けられた基台組立体と、
を含む、光アダプタ。
【請求項２】
前記ハウジングは、前記収容部の内壁面に形成される複数のスライド溝を含み、前記第１突き合わせ部材が前記第１仕切板の上下方に形成される複数の第１スライドレールを含み、前記第２突き合わせ部材が前記第２仕切板の上下方に形成される複数の第２スライドレールを含み、各前記第１スライドレール及び各前記第２スライドレールが各前記スライド溝にそれぞれ係着される、請求項１に記載の光アダプタ。
【請求項３】
前記第２仕切板は、前記第２スライドレール上に突起する係止突起を含み、前記ハウジングが前記スライド溝内に設けられた係止溝を含み、前記係止突起が前記係止溝に係合される、請求項２に記載の光アダプタ。
【請求項４】
前記第１突き合わせ部材は、前記第１本体の他側に形成される第１突起部を含み、前記第２突き合わせ部材が前記第２本体の他側に形成される第２凹部を含み、前記第１突起部が前記第２凹部に係合される、請求項１に記載の光アダプタ。
【請求項５】
前記第１突き合わせ部材は、前記第１本体の他側に形成される第１凹部を含み、前記第２突き合わせ部材が前記第２本体の他側に形成される第２突起部を含み、前記第２突起部が前記第１凹部に係合される、請求項４に記載の光アダプタ。
【請求項６】
各前記スリーブには、縦方向に延びる割り溝が形成され、各前記スリーブの断面がＣリング構造を呈する、請求項１に記載の光アダプタ。
【請求項７】
各前記スリーブは、長尺状の丸管であり、各前記スリーブの断面がＯリング構造を呈する、請求項１に記載の光アダプタ。
【請求項８】
各前記第１フェルール内において、各前記スリーブ端部を止めるための第１円環壁が突出される、請求項１に記載の光アダプタ。
【請求項９】
各前記第２フェルール内において、各前記スリーブ端部を止めるための第２円環壁が突出される、請求項１に記載の光アダプタ。
【請求項１０】
前記ハウジングは、前記収容部の内壁面に形成されるストッパーを含み、前記第１本体に係止ブロックが形成されており、前記ストッパーが前記係止ブロックに当たる、請求項１に記載の光アダプタ。
【考案の詳細な説明】
【技術分野】
【０００１】
本考案は、アダプタに関し、特に、光アダプタに関する。
【背景技術】
【０００２】
光ファイバーは、光信号を伝送するための工具であり、従来の光コネクタ装置がメス変換アダプタ（Ａｄａｐｔｅｒ）の両端に挿入されたオス光アダプタを突き合わせ用とし、したがって係止及びデータ伝送の目的を達成している。
【０００３】
従来のＬｕｃｅｎｔ  Ｃｏｎｎｅｃｔｏｒ（ＬＣ）Ｔｙｐｅ光変換アダプタ（ａｄａｐｔｅｒ）は、光伝送コネクタであり、ＬＣ  Ｔｙｐｅの光伝送ケーブル線で接続することで、光信号を伝送できる。
【０００４】
従来のＬＣ  Ｔｙｐｅ光変換アダプタの設計方法は、両側の本体（シェル）を溶接方法で結合することであり、溶接の不良により、製品の位置ずれという問題を引き起こしやすく、応力を受けた時、２つの本体間の溶接箇所が折損しやすく、製造工程でも溶接機で溶接しなければならないためコストが高くなっていた。
【考案の概要】
【考案が解決しようとする課題】
【０００５】
本考案は、かかる従来の問題点に鑑みてなされたもので、光アダプタを提供する。
【課題を解決するための手段】
【０００６】
本考案の一実施例は、ハウジングと、基台組立体と、を含む光アダプタを提供する。ハウジングは、収容部を含み、ハウジングの両端が収容部に連通する挿入口を形成する。基台組立体は、ハウジングの収容部内に設けられ、第１突き合わせ部材と、第２突き合わせ部材と、複数のスリーブと、を含む。第１突き合わせ部材は、第１本体と、第１本体の一側に突出する第１仕切板と、第１仕切板の両側に位置する複数の第１フェルールと、を含み、第１本体の一側には各第１フェルール内に連通する複数の第１挿通孔が形成され、第１仕切板がハウジング一端の収容部内に位置する。第２突き合わせ部材は、第１本体の他側に結合する第２本体と、第２本体の一側に突出する第２仕切板と、第２仕切板の両側に位置する複数の第２フェルールとを含み、第２本体の一側には各第２フェルール内に連通する複数の第２挿通孔が形成され、第２仕切板がハウジングの他端の収容部内に位置する。複数のスリーブの両側は、各第１挿通孔及び各第２挿通孔にそれぞれ挿入されて各第１フェルール及び各第２フェルール内に設けられる。
【０００７】
一実施例において、ハウジングは、収容部の内壁面に形成される複数のスライド溝を含み、第１突き合わせ部材が第１仕切板の上下方に形成される複数の第１スライドレールを含み、第２突き合わせ部材が第２仕切板の上下方に形成される複数の第２スライドレールを含み、各第１スライドレール及び各第２スライドレールが各スライド溝にそれぞれ係着される。
【０００８】
一実施例において、第２仕切板は、第２スライドレール上に突起する係止突起を含み、ハウジングがスライド溝内に設けられた係止溝を含み、係止突起が係止溝に係合される。
【０００９】
一実施例において、第１突き合わせ部材は、第１本体の他側に形成される第１突起部を含み、第２突き合わせ部材が第２本体の他側に形成される第２凹部を含み、第１突起部が第２凹部に係合される。
【００１０】
一実施例において、第１突き合わせ部材は、第１本体の他側に形成される第１凹部を含み、第２突き合わせ部材が第２本体の他側に形成される第２突起部を含み、第２突起部が第１凹部に係合される。
【００１１】
一実施例において、各スリーブには、縦方向に延びる割り溝が形成され、各スリーブの断面がＣリング構造を呈する。
【００１２】
一実施例において、各スリーブは、長尺状の丸管であり、各スリーブの断面が呈Ｏリング構造を呈する。
【００１３】
一実施例において、各第１フェルール内において各スリーブ端部を止めるための第１円環壁が突出される。
【００１４】
一実施例において、各第２フェルール内において各スリーブ端部を止めるための第２円環壁が突出される。
【００１５】
一実施例において、ハウジングは、収容部の内壁面に形成されるストッパーを含み、第１本体に係止ブロックが形成されており、ストッパーが係止ブロックに当たる。
【００１６】
本考案の一実施例は、従来の嵌合式ハウジングを溶接方法で溶接したことによる位置ずれ、非密着、隙間発生、結合強度が低いという問題を改善する一体型ハウジングを提供する。基台組立体の第１突き合わせ部材及び第２突き合わせ部材は、同じ金型で製造され、第１突き合わせ部材と第２突き合わせ部材を組み立てた後、第１突き合わせ部材及び第２突き合わせ部材をハウジング内に一緒に簡単に組み入れて固定することで、生産及び製造の歩留まりを向上することができる。
【図面の簡単な説明】
【００１７】
【図１】本考案の一実施例に係る外観図である。
【図２】本考案の一実施例に係る分解図である。
【図３】本考案の一実施例の組み立て時の分解図（一）である。
【図４】本考案の一実施例の組み立て時の分解図（二）である。
【図５】本考案の一実施例の組み立てた後の側面断面図である。
【図６】本考案の一実施例の組み立てた後の上面断面図である。
【考案を実施するための形態】
【００１８】
本考案の目的、技術的特徴及び利点を当業者に理解させると共に本考案を実施できるため、添付図面を参照しながら後記の明細明書において本考案の技術的特徴及び実施形態を説明し、また好ましい実施例を挙げて更なる説明を行う。ただし、以下の実施例の説明は、本考案を限定するものではなく、かつ以下で参照される図面は、本考案の特徴に関連するものを例示している。
【００１９】
図１乃至図６を同時に参照すると、図１は、外観図、図２が分解図、図３及び図４が組み立て時の分解図（一）、（二）、図５が組み立てた後の側面断面図、図６が組み立てた後の上面断面図である。
【００２０】
本実施例において、光アダプタ１００は、複数の光コネクタ（図示せず）を挿着するために用いられ、光コネクタ（Ｌｕｃｅｎｔ  Ｃｏｎｎｅｃｔｏｒ，ＬＣ）が高密度接続用途に使用される。光アダプタ１００は、ハウジング１と、基台組立体２と、を含む。
【００２１】
本実施例において、ハウジング１は、収容部１０を含み、ハウジング１の両端が収容部１０に連通する挿入口１１を形成する
【００２２】
本実施例において、基台組立体２は、ハウジング１の収容部１０内に設けられ、第１突き合わせ部材２１と、第２突き合わせ部材２２と、複数のスリーブ２３と、を含む。
【００２３】
本実施例において、第１突き合わせ部材２１は、第１本体２１１と、第１本体２１１の一側に突出する第１仕切板２１２と、第１仕切板２１２の両側に位置する複数の第１フェルール２１３と、を含み、第１本体２１１の一側には各第１フェルール２１３内に連通する複数の第１挿通孔２１４が形成され、第１仕切板２１２がハウジング１一端の収容部１０内に位置する。
【００２４】
本実施例において、第２突き合わせ部材２２は、第１本体２１１の他側に結合する第２本体２２１と、第２本体２２１の一側に突出する第２仕切板２２２と、第２仕切板２２２の両側に位置する複数の第２フェルール２２３とを含み、第２本体２２１の一側には各第２フェルール２２３内に連通する複数の第２挿通孔２２４が形成され、第２仕切板２２２がハウジング１の他端の収容部１０内に位置する。
【００２５】
本実施例において、複数のスリーブ２３の両側は、各第１挿通孔２１４及び各第２挿通孔２２４にそれぞれ挿入されて各第１フェルール２１３及び各第２フェルール２２３内に設けられる。
【００２６】
本実施例において、より詳しくは、ハウジング１の外側に留め具３が結合され、ラックに固着するために用いられる。
【００２７】
本実施例において、より詳しくは、ハウジング１は、収容部１０の内壁面に形成される複数のスライド溝１３を含み、複数のスライド溝１３が収容部１０内の中央位置の頂部壁及び底部壁に縦方向にそれぞれ配置される。第１突き合わせ部材２１は、第１仕切板２１２の上下方に形成される複数の第１スライドレール２１５を含み、第２突き合わせ部材２２が第２仕切板２２２の上下方に形成される複数の第２スライドレール２２５を含み、各第１スライドレール２１５及び各第２スライドレール２２５が各スライド溝１３にそれぞれ係着される。
【００２８】
本実施例において、より詳しくは、第２仕切板２２２は、第２スライドレール２２５上に突起する係止突起２２９を含み、ハウジング１がスライド溝１３内に設けられた係止溝１９を含み、係止突起２２９が係止溝１９に係合される。第１突き合わせ部材２１と第２突き合わせ部材２２が突き合わせて固定された後、第１突き合わせ部材２１をハウジング１の一端の挿入口１１に合わせて挿入し、第１突き合わせ部材２１と第２突き合わせ部材２２をハウジング１の収容部１０内に滑り入らせ、係止突起２２９が係止溝１９に係合されると、安定して位置決めされ、組み立てが非常に簡単になる。
【００２９】
本実施例において、より詳しくは、基台組立体２は組み付けられる第１突き合わせ部材２１と、第２突き合わせ部材２２と、を含み、第１突き合わせ部材２１及び第２突き合わせ部材２２がそれぞれ上方から見たときの外観形状は、略Ｔ字形を呈し、組み立てた後の外観形状が略十字形を呈する。かつ、第１突き合わせ部材２１は、第１本体２１１の他側に形成される第１突起部２１６を含み、第２突き合わせ部材２２が第２本体２２１の他側に形成される第２凹部２２７を含み、第１突起部２１６が第２凹部２２７に係合される。
【００３０】
本実施例において、より詳しくは、第１突き合わせ部材２１は、第１本体２１１の他側に形成される第１凹部２１７を含み、第２突き合わせ部材２２が第２本体２２１の他側に形成される第２突起部２２６を含み、第２突起部２２６が第１凹部２１７に係合される。
【００３１】
本実施例において、より詳しくは、各スリーブ２３はセラミック材料で作られ、各スリーブ２３に縦方向に延びる割り溝２３１が形成されており、各スリーブ２３の断面がＣリング構造を呈する。光コネクタプラグがＣリング構造のスリーブ２３内に挿入されると、スリーブ２３は割り溝２３１構造によりスリーブ２３の内径を拡開できる働きを提供する。
【００３２】
本実施例において、より詳しくは、各スリーブ２３は、長尺状の丸管であり、各スリーブ２３の断面がＯリング構造を呈し、Ｏリング構造のスリーブ２３内径が実質的にＣリング構造のスリーブ２３の内径より大きい。
【００３３】
本実施例において、より詳しくは、各第１フェルール２１３内において各スリーブ２３端部を止めるための第１円環壁２１８が突出される。各第２フェルール２２３内において各スリーブ２３端部を止めるための第２円環壁２２８が突出される。スリーブ２３は、第１フェルール２１３と第２フェルール２２３の中に規制される。
【００３４】
本実施例において、より詳しくは、ハウジング１は、収容部１０の内壁面に形成されるストッパー１５を含み、第１本体２１１に係止ブロック２１１５が形成されており、ストッパー１５が係止ブロック２１１５に当たる。
【００３５】
本実施例において、より詳しくは、ハウジング１の両端は、複数の光コネクタを挿入口１１に挿入するための例えば４ポート、８ポート、１６ポート、３２ポートなどの複数の挿入口１１をさらに含み得る。
【００３６】
本実施例において、より詳しくは、ハウジング１は、矩形枠体の一体型中空シェルであり、構造が安定であり、かつハウジング１が射出成形で一体型構造とされ、強度が向上している。従来のハウジングは、２つのシェルに分かれ、２つのシェル間を溶接で結合していた。従来のハウジングを溶接する時、２個の本体の位置ずれ状況が容易に発生することで、アダプタの溶接箇所の非密着が起き、隙間が生じやすいため、使用上でも光損失が容易に発生し、かつ水蒸気がアダプタ内部に入る懸念も増加する。また製造時、溶接機で両者の本体を溶接する必要があるため、構造強度が低いという問題もある。
【００３７】
本考案の一実施例は、従来の嵌合式ハウジングを溶接方法で溶接したことによる位置ずれ、非密着、隙間発生、結合強度が低いという問題を改善する一体型ハウジングを提供する。基台組立体の第１突き合わせ部材及び第２突き合わせ部材は、同じ金型で製造され、第１突き合わせ部材と第２突き合わせ部材を組み立てた後、第１突き合わせ部材及び第２突き合わせ部材をハウジング内に一緒に簡単に組み入れて固定することで、生産及び製造の歩留まりを向上することができる。
【符号の説明】
【００３８】
１０  収容部
１００  光アダプタ
１  ハウジング
１１  挿入口
１３  スライド溝
１５  ストッパー
１９  係止溝
２  基台組立体
２１  第１突き合わせ部材
２１１  第１本体
２１１５  係止ブロック
２１２  第１仕切板
２１３  第１フェルール
２１４  第１挿通孔
２１５  第１スライドレール
２１６  第１突起部
２１７  第１凹部
２１８  第１円環壁
２２  第２突き合わせ部材
２２１  第２本体
２２２  第２仕切板
２２３  第２フェルール
２２４  第２挿通孔
２２５  第２スライドレール
２２６  第２突起部
２２７  第２凹部
２２８  第２円環壁
２２９  係止突起
２３  スリーブ
２３１  割り溝
３  留め具
【図１】
0003227756.tif 000003
【図２】
0003227756.tif 000004
【図３】
0003227756.tif 000005
【図４】
0003227756.tif 000006
【図５】
0003227756.tif 000007
【図６】
0003227756.tif 000008